(57)【要約】【課題】ＡＣアダプタを携帯機器に接続した状況で使用したとしても、ＡＣアダプタのプラグの根元部分におけるケーブルの断線を防止することができるケーブル保護具を提供する。【解決手段】ケーブル保護具２０は、ＵＳＢプラグ１１と、ケーブル１２と、を備えるＡＣアダプタ１０に取り付けて使用されるものであって、ハウジング２１と、ハウジング内部に形成され、ケーブルを湾曲した状態で保持する保持部２２と、を備えることを特徴とする。このケーブル保護具によれば、ＵＳＢプラグの根元部分においてケーブルに取り付けて用いることで、ケーブルの断線を防止することができる。【選択図】図１
2016100123.tif 000002
【特許請求の範囲】
【請求項１】
プラグと、前記プラグから伸びるケーブルと、を備えるＡＣアダプタに取り付けて使用されるケーブル保護具であって、
ハウジングと、
前記ハウジング内部に形成され、前記ケーブルを湾曲した状態で保持する保持部と、
を備えることを特徴とするケーブル保護具。
【請求項２】
前記ハウジングは、第１ハウジングと第２ハウジングとからなり、
前記第１ハウジングと前記第２ハウジングには、前記保持部がそれぞれ形成されていることを特徴とする請求項１に記載のケーブル保護具。
【請求項３】
前記第１ハウジングと前記第２ハウジングとは連結部によってつながっており、
前記第１ハウジングと前記第２ハウジングには互いに結合する固定部が形成されていることを特徴とする請求項２に記載のケーブル保護具。
【請求項４】
前記第１ハウジングと前記第２ハウジングには互いの位置を合わせる位置決め部が形成されていることを特徴とする請求項２または３に記載のケーブル保護具。
【請求項５】
前記ハウジングには、前記プラグの根元に結合する結合部が形成されていることを特徴とする請求項１から４の何れか一項に記載のケーブル保護具。
【請求項６】
前記結合部は、前記プラグの根元に設けられた蛇腹部の溝に嵌合する突起部であることを特徴とする請求項５に記載のケーブル保護具。
【発明の詳細な説明】
【技術分野】
【０００１】
本発明は、携帯機器に内蔵された電池の充電器として、或いは携帯機器の電源装置として用いられるＡＣアダプタにおける出力側プラグの根元部分でのケーブル断線を防止するケーブル保護具に関する。
【背景技術】
【０００２】
携帯可能なパソコン、ゲーム機、タブレット等の携帯機器では、機器に内蔵された電池の充電器として、或いは直接電源装置としてＡＣアダプタが用いられる。このＡＣアダプタは機器側面に設けられているジャックにＡＣアダプタのプラグを差し込むことより使用される。なお、ＡＣアダプタのプラグとして、最近ではＵＳＢプラグが比較的多く用いられている。
【０００３】
図５はこのＵＳＢプラグ１０１を備えたＡＣアダプタ１００を用い、タブレット２００の側面のジャックにＵＳＢプラグ１０１を差し込んだ状態の概念図である。
【０００４】
ところで、タブレット２００のような携帯機器は、プラグが差し込まれた状態でも使用することができるため、とくに室内で使用するような場合には、図５のようにタブレット２００にＵＳＢプラグ１０１が差し込まれた状態で使用されることも比較的多い。そして、タブレット２００のような携帯機器は、アプリケーションによって様々な向きで使用されることになるため、プラグが差し込まれた側が下側になることもある。この状態で使用された場合、例えば子供がゲームに夢中になったりし、携帯機器と机や床との距離が近くなると、プラグの根元近くではケーブル１０２が湾曲し、このケーブル１０２の湾曲部分で携帯機器を支えるような状況が生じる。
【０００５】
なお、図６はＡＣアダプタ１００のケーブル１０２が湾曲した状態で、テーブルＴとケーブル１０２が接触している状態を示した概念図である。そして、このような状況が続くと、ＵＳＢプラグ１０１の根元部分に大きな力が加わり続け、根元部分のケーブル１０２で断線が生じるという問題がある。このような問題を解決するために、特許文献１に記載されているケーブル保護器が知られている。
【先行技術文献】
【特許文献】
【０００６】
【特許文献１】特開２００７−０１２５３９号公報
【発明の概要】
【発明が解決しようとする課題】
【０００７】
特許文献１に記載されているケーブル保護器は、ノート型パソコンのように机の上に置いた状態で使用されることが多い場合、ケーブルの断線防止としての効果を期待することができる。
【０００８】
しかしながら、図６に示すような状況でタブレット２００のような携帯機器が使用された場合、特許文献１のケーブル保護器を用いてもラッパ形状部の湾曲に沿ってケーブル１０２が湾曲するだけで、ケーブル１０２がテーブルＴと直接触れてしまい、ラッパ形状部の端でケーブル１０２に大きな力が加わり続けることになる。したがって、特許文献１のケーブル保護器ではケーブルの断線を十分に防止することができない、という課題がある。
【０００９】
本発明は、上述の課題を解決するためになされたものであり、ＡＣアダプタを携帯機器に接続した状況で使用したとしても、ＡＣアダプタのプラグの根元部分におけるケーブルの断線を防止することができるケーブル保護具を提供することを目的とする。
【課題を解決するための手段】
【００１０】
上記目的を達成するため、本発明のケーブル保護具は、プラグと、前記プラグから伸びるケーブルと、を備えるＡＣアダプタに取り付けて使用されるケーブル保護具であって、
ハウジングと、前記ハウジング内部に形成され、前記ケーブルを湾曲した状態で保持する保持部と、を備えることを特徴とする。
【００１１】
本発明のケーブル保護具によれば、プラグの根元部分においてケーブルに取り付けて用いることで、例えば、図６に示すような状況で使用された場合に、ケーブルの断線を防止することができる。
【００１２】
また、本発明のケーブル保護具は、前記ハウジングが、第１ハウジングと第２ハウジングとからなり、前記第１ハウジングと前記第２ハウジングには、前記保持部がそれぞれ形成されていることを特徴とする。
【００１３】
本発明のケーブル保護具によれば、ハウジングが二つの部品で構成されているため、ケーブル保護具がケーブルから外れ難くなるため、ケーブルの断線をより防止することができる。
【００１４】
また、本発明のケーブル保護具は、前記第１ハウジングと前記第２ハウジングとは連結部によってつながっており、前記第１ハウジングと前記第２ハウジングには互いに結合する固定部が形成されていることを特徴とする。
【００１５】
本発明のケーブル保護具によれば、ケーブルにケーブル保護具を簡単に取り付けることができる。
【００１６】
また、本発明のケーブル保護具は、前記第１ハウジングと前記第２ハウジングには互いの位置を合わせる位置決め部が形成されていることを特徴とする。
【００１７】
本発明のケーブル保護具によれば、大きな衝撃が加わった際に、第１ハウジングと第２ハウジングとが簡単に位置ズレしてしまうこと防ぐことができる。
【００１８】
また、本発明のケーブル保護具は、前記ハウジングには、前記プラグの根元に結合する結合部が形成されていることを特徴とする。
【００１９】
本発明のケーブル保護具によれば、プラグの根元からズレ難くなるので、プラグの根元部分におけるケーブルの断線をより効果的にケーブルの断線を防止することができる。
【００２０】
また、本発明のケーブル保護具は、前記結合部が、前記プラグの根元に設けられた蛇腹部の溝に嵌合する突起部であることを特徴とする。
【００２１】
本発明のケーブル保護具によれば、プラグの根元からズレ難くなるとともに、ケーブル保護具の着脱を容易に行うことができる。
【図面の簡単な説明】
【００２２】
【図１】実施形態のケーブル保護具をＡＣアダプタのケーブルに取り付けた使用状態の概念図である。
【図２】図２（Ａ）は実施形態のケーブル保護具をＡＣアダプタのケーブルに取り付けた状態の斜視図であり、図２（Ｂ）はこのケーブル保護具をケーブルに取り付けた状態の展開斜視図であり、図２（Ｃ）はこのケーブル保護具の展開斜視図である。
【図３】図３（Ａ）は実施形態のケーブル保護具を展開した内側正面図であり、図３（Ｂ）はケーブル保護具を展開した外側正面図である。
【図４】実施形態のケーブル保護具をＡＣアダプタのケーブルに取り付けた状態でのタブレットの使用例を示した概念図である。
【図５】ＵＳＢプラグを備えたＡＣアダプタをタブレットの側面のジャックに差し込んだ状態の一般的な概念図である。
【図６】ＡＣアダプタのケーブルが湾曲した状態で、テーブルとケーブルが接触している状態を示した一般的な概念図である。
【発明を実施するための形態】
【００２３】
以下、本発明の実施形態を図面を用いて説明する。ただし、以下に示す実施形態は、本発明の技術思想を具体化するための一例を示すものであり、本発明をこの実施形態に特定することを意図するものではない。本発明は、特許請求の範囲に含まれるその他の実施形態にも適応できるものである。
【００２４】
図１は、本実施形態のケーブル保護具２０をＡＣアダプタ１０のケーブル１２に取り付けた使用状態の概念図である。また、図２（Ａ）は本実施形態のケーブル保護具２０をＡＣアダプタ１０のケーブル１２に取り付けた状態の斜視図であり、図２（Ｂ）はケーブル保護具２０をケーブル１２に取り付けた状態の展開斜視図であり、図２（Ｃ）はケーブル保護具２０の展開斜視図である。また、図３（Ａ）はケーブル保護具２０を展開した内側正面図であり、図３（Ｂ）はケーブル保護具２０を展開した外側正面図である。また、図４は、ケーブル保護具２０をＡＣアダプタ１０のケーブルに取り付けた状態でのタブレット１の使用例を示した概念図である。
【００２５】
図１に示すように、ケーブル保護具２０は、タブレット１の側面のジャック２にＡＣアダプタ１０のＵＳＢプラグ１１を差し込んだ状態で、タブレット１を使用する場合にケーブル１２の断線を防止することができる。
【００２６】
ここで、ケーブル保護具２０が取り付けられるＡＣアダプタ１０は、図示しない本体部と、出力側のプラグであるＵＳＢプラグ１１と、本体部とＵＳＢプラグ１１とをつなぐケーブル１２と、で構成されたものである。この本体部は、変圧回路や整流回路や安定化電源回路等を内部に収めており、またコンセントへ差し込まれる差込プラグを備える。
【００２７】
また、ＵＳＢプラグ１１の根元部分には、ＵＳＢプラグ１１とケーブル１２との接続部分を保護するための蛇腹部１３が形成されている。
【００２８】
なお、ＡＣアダプタ１０の出力側プラグとしては、Ｌ字状の形状をした所謂Ｌ型プラグと、ストレート型プラグの二種類がよく知られているが、本実施形態のケーブル保護具２０は、ストレート型プラグのＡＣアダプタに用いられるものである。
【００２９】
以上のようなＡＣアダプタ１０に取り付けて使用されるケーブル保護具２０は、ハウジング２１と、このハウジング２１内部に形成され、ケーブル１２を湾曲した状態で保持する保持部２２と、で構成されている。
【００３０】
具体的には、ハウジング２１は、ナイロン等の樹脂からなる成形品であり、図２（Ａ）に示すようにＬ字状の外観形状をしている。なお、ハウジング２１は、図４に示すタブレット１の使用状態ではタブレット１の支えとして機能することになる。したがって、ハウジング２１はできるだけ硬い材質からなるものが好ましい。
【００３１】
また、ハウジング２１は、第１ハウジング２１ａと第２ハウジング２１ｂの二つの部品で構成されている。そして、図３に示すように、第１ハウジング２１ａと第２ハウジング２１ｂとは、一体成形されているヒンジ状の連結部２３を介して互いにつながっている。
【００３２】
また、Ｌ字状のハウジング２１の一端にはＵＳＢプラグ１１が露出する保持孔２４ａが形成され、他端にはＡＣアダプタ１０の本体側へと伸びるケーブル１２が露出する保持孔２４ｂが形成されている。
【００３３】
保持部２２は、図２（Ｂ）に示すように、ハウジング２１内でケーブル１２を湾曲状に保持しておくものである。また、保持部２２は、第１ハウジング２１ａと、第２ハウジング２１ｂの内部にそれぞれ成形され、第１保持部２２ａと第２保持部２２ｂで構成されている。第１保持部２２ａと第２保持部２２ｂは、略同様の形状であり、ケーブル１２の幅よりも若干広い溝形状となっている。
【００３４】
そして、連結部２３を介してつながっている第１ハウジング２１ａと第２ハウジング２１ｂとを互いに結合することで、保持孔２４ａ、保持部２２、保持孔２４ｂと一連につながった貫通孔がハウジング２１内に完成する。
【００３５】
なお、保持部２２における湾曲は、曲率が大き過ぎるとケーブル１２に大きな負荷が加わるため、ケーブル１２に負荷があまり加わらない程度の曲率で形成されている。そのため、図３（Ａ）に示すように、ハウジング２１の幅はケーブル１２の幅に比べ十分に広くなっており、また、ハウジング２１の屈曲部Ｃでは、保持部２２は屈曲部Ｃの内側に沿って形成されている。
【００３６】
このようなケーブル保護具２０を用い、ケーブル１２をハウジング２１内の保持部２２で保持しておくことで、ハウジング２１から露出するケーブル１２の一端側と他端側との露出位置が同軸上には位置しないことになる。したがって、図４に示すようにテーブルＴ側にＵＳＢプラグ１１が位置するタブレット１の使用状態において、ケーブル１２ではなくケーブル保護具２０が直接テーブルＴと接し、タブレット１を支えることになる。そのため、ケーブル１２はケーブル保護具２０で守られることになり、ケーブル１２の断線が防止される。
【００３７】
また、本実施形態のケーブル保護具２０のハウジング２１は、第１ハウジング２１ａと第２ハウジング２１ｂとを結合するための固定部２５を備えている。具体的には、固定部２５は、係合構造となるようループ部２５ａとフック部２５ｂとで構成されている。そして第１ハウジング２１ａの表面には三つのループ部２５ａが形成されており、第２ハウジン２１ｂの表面にも三つのフック部２５ｂが形成されている。三つのループ部２５ａと三つのフック部２５ｂとは、それぞれ何れかと係合する位置に設けられており、対応する位置のループ部２５ａとフック部２５ｂとが互いに係合することで、第１ハウジング２１ａと第２ハウジング２１ｂとは結合する。
【００３８】
このためケーブル保護具２０は、ハウジング２１に設けた固定部２５により、第１ハウジング２１ａと第２ハウジング２１ｂとを簡単に固定することができる。また、ケーブル保護具２０は、ループ部２５ａとフック部２５ｂとによる係合構造による固定部２５とすることで、ネジ等他の部品を使って固定する場合に比べ簡単に第１ハウジング２１ａと第２ハウジング２１ｂとを着脱することができる。したがって、ケーブル保護具２０は、必要に応じてケーブル１２へ簡単に取り付けることができる。
【００３９】
なお、ハウジング２１に設けられた三つの固定部２５は、図２（Ａ）に示すようにＬ字状のハウジング２１において、連結部２３が位置する直線状側面Ｓ１以外の直線状側面Ｓ２、Ｓ３、Ｓ４に設けられている。固定部２５は、本実施形態のように必ずしも三つである必要はないが、第１ハウジング２１ａと第２ハウジング２１ｂとをできるだけ強固に固定しておくためには、ハウジング２１の形状に合わせて、ハウジング２１の直線状側面にできるだけ設けておくことが好ましい。
【００４０】
また、図３（Ａ）に示すように、本実施形態のケーブル保護具２０のハウジング２１には、第１ハウジング２１ａの内側表面に二つの嵌合凸部２６ａが形成され、第２ハウジング２１ｂの内側表面に二つの嵌合凹部２６ｂが形成されている。この嵌合凸部２６ａと嵌合凹部２６ｂは、第１ハウジング２１ａと第２ハウジング２１ｂとを固定した時の位置合わせをしておく位置決め部２６を構成する。この位置決め部２６によりケーブル保護具２０は、大きな衝撃が加わった際に、第１ハウジング２１ａと第２ハウジング２１ｂとが簡単に位置ズレしてしまうことを防ぐことができる。
【００４１】
また、図２（Ｂ）や図３（Ａ）に示すように、本実施形態の保持部２２は、ＵＳＢプラグ１１が位置する保持孔２４ａ側が幅広に形成されている。そして、保持部２２は、この幅広の位置でＵＳＢプラグ１１の根元部分に設けられている蛇腹部１３を保持する構成となっている。具体的には、蛇腹部１３の溝１３ａに嵌合する突起部２７ａが、第１保持部２２ａと第２保持部２２ｂのそれぞれに二個ずつ設けられている。この第１保持部２２ａと第２保持部２２ｂとに形成された突起部２７ａは、ケーブル保護具２０が蛇腹部１３に結合するための結合部２７を構成する。
【００４２】
この係合部２７によりケーブル保護具２０は、蛇腹部１３の位置からズレ難くなり、ＵＳＢプラグ１１の根元部分におけるケーブル１２の断線をより一層効果的に防止することができる。また、結合部２７は蛇腹部１３の溝１３ａに嵌合する突起部２７ａで形成されている。そのため蛇腹部１３に接着剤等で結合する場合に比べ、ケーブル保護具２０のケーブル１２への着脱を容易に行うことができる。
【００４３】
なお、本実施形態では、突起部２７ａは、第１保持部２２ａと第２保持部２２ｂとにそれぞれ二個ずつ設けられているが、第１保持部２２ａ或いは第２保持部２２ｂの一方にだけ設けておく構成でも構わない。また、突起部２７ａは、第１保持部２２ａと第２保持部２２ｂとで互いに異なる位置に一個だけ設けておくような構成でも構わない。
【００４４】
以上のように、本実施形態のケーブル保護具２０は、ＵＳＢプラグ１１の根元部分においてケーブル１２に取り付けて用いることで、図４に示すようなタブレット１の使用状態で、ケーブル１２の断線を防止することができる。
【００４５】
なお、本実施形態の説明においてＡＣアダプタ１０の出力側プラグとして、ＵＳＢプラグ１１からなるものを示しているが、出力側プラグはＵＳＢプラグに限ったものではない。ＡＣアダプタの出力側プラグとして、例えばピンタイプのものであっても、ケーブル保護具２０を用いることでケーブル１２の断線を防止することができる。
【００４６】
また、本実施形態のハウジング２１は、外観形状がＬ字状となっていたが、このような外観形状に限られるものではない。ケーブル１２を湾曲した状態で保持する保持部２２によって、ハウジング２１から露出するケーブル１２の一端側と他端側との露出位置が同軸上には位置しない形状であれば、ハウジング２１の外観形状は、例えばＵ字状でも構わない。また、ハウジング２１から露出するケーブル１２の一端側と他端側との露出位置が同軸上には位置しなければ、ハウジング２１の外観形状そのものは、例えば矩形状でも構わない。
【００４７】
また、ハウジング２１は、図４に示すようなタブレット１の使用状態で、直線状側面Ｓ４がテーブルＴと接することになる。この時タブレット１を支持し易くするために、ハウジング２１は、直線状側面Ｓ４の形状が他の側面に比べ広くなるような形状としても構わない。また、ハウジング２１の外観形状は、図４に示すようなタブレット１の使用状態でタブレット１を支持し易くする目的で設計されたものでも構わない。このような形状として、例えばハウジング２１の外観形状が角錐のようなものでも構わない。
【００４８】
また、本実施形態のケーブル保護具２０は、ハウジング２１を第１ハウジング２１ａと第２ハウジング２１ｂの二つの部品で構成したものとなっている。このため、ケーブル１２に取り付けた際にケーブル１２を完全に覆うことができるため、ケーブル保護具２０がケーブル１２から外れ難い。しかしながら、ケーブル保護具２０は、ハウジング２１を一つの部品で構成したものでも構わない。このようなケーブル保護具２０として、例えば、ケーブル保護具２０は、ケーブル１２を保持部２２に嵌め込むような構成としたものである。
【符号の説明】
【００４９】
１、２００…タブレット
１０、１００…ＡＣアダプタ
１１、１０１…ＵＳＢプラグ
１２、１０２…ケーブル
１３…蛇腹部
１３ａ…溝
２０…ケーブル保護具
２１…ハウジング
２１ａ…第１ハウジング
２１ｂ…第２ハウジング
２２…保持部
２２ａ…第１保持部
２２ｂ…第２保持部
２３…連結部
２４ａ、２４ｂ…保持孔
２５…固定部
２５ａ…ループ部
２５ｂ…フック部
２６…位置決め部
２６ａ…嵌合凸部
２６ｂ…嵌合凹部
２７…結合部
２７ａ…突起部
【図１】
2016100123.tif 000003
【図２】
2016100123.tif 000004
【図３】
2016100123.tif 000005
【図４】
2016100123.tif 000006
【図５】
2016100123.tif 000007
【図６】
2016100123.tif 000008